(57)【要約】【課題】手軽に且つ種々の易断サービスを適切に利用できるとともに、利便性の向上を図った易断サービスを提供すること。【解決手段】易断サーバ１００は通信網２００を介して端末装置３００,５００から送出されてくる生年月日情報及び性別情報並びにサービスの種類情報を受信し、この生年月日情報及び性別情報について万年暦データ格納部１６０を参照して星情報を決定し、星情報に対応する月運情報及び吉運情報並びに択日運情報を占い情報ＤＢ１５０から抽出し、端末装置３００,５００の処理能力を識別し、サービスの種類別に上記抽出情報及び星情報を端末装置３００,５００の処理能力に合致させて端末装置３００,５００に送出するようにしたことを特徴とする。【選択図】  図１
2016101440.tif 000002
【特許請求の範囲】
【請求項１】
易断サービスに関するアイコンを表示出力する出力手段と、
この出力手段にて表示出力される易断サービスに関するアイコンを操作し、生年月日情報及び性別情報並びに各種情報を入力する入力手段と、
この入力手段にて入力される生年月日情報及び性別情報並びに各種情報を通信ネットワークを介して外部へ送出する送出手段とを具備するウェブブラウザ機能を有する端末装置と、
この端末装置と上記通信ネットワークを介して接続し、上記送出手段から送出されてくる上記生年月日情報及び性別情報を受信する受信手段と、
万年暦データを記憶する万年暦データ記憶手段と、
この万年暦データ記憶手段を参照して上記受信手段にて受信した上記生年月日情報及び性別情報に対応する星情報を決定する星情報判断処理手段と、
上記星情報に対応する月運情報、吉運情報及び択日運情報を記憶する運情報記憶手段と、
この運情報記憶手段を参照して上記星情報判断手段により決定された星情報に該当する月運情報、吉運情報及び択日運情報を抽出する抽出手段と、
この抽出手段にて抽出された抽出情報及び上記星情報を上記通信ネットワークを介して上記端末装置に送出する易断結果送出手段とを具備する易断サーバとから構成される易断サービス提供管理システムであって、
上記端末装置は、上記易断サービスの利用に関し無料サービスまたは有料サービスを上記アイコンから選択可能とし、
上記易断サーバは、上記端末装置の処理能力を識別する端末識別手段を有し、この端末識別手段の識別結果を参照して選択されたサービス別に上記抽出情報及び星情報を上記端末装置の処理能力に合致させて上記端末装置に送出するよう構成したことを特徴とする易断サービス提供管理システム。
【請求項２】
上記易断サーバから上記抽出情報及び星情報を受信し、当該抽出情報及び星情報を定期的にまたは任意に設定した指定日に上記端末装置に送出する機能を有するスケジューラを設けたことを特徴とする請求項１記載の易断サービス提供管理システム。
【請求項３】
上記スケジューラは上記端末装置と同期して、任意に設定した期間内の上記抽出情報及び星情報を当該端末装置に送出する機能を有することを特徴とする請求項１または請求項２記載の易断サービス提供管理システム。
【請求項４】
特定の印刷物に付された易断サービスに関するマトリックス型二次元コードを読み取り上記通信ネットワークを介して当該読み取り情報を送出可能なバーコードリーダを設け、
このバーコードリーダから送出されてくる情報に基づいて上記抽出情報及び星情報を上記端末装置の出力手段に表示出力するよう構成したことを特徴とする請求項１、請求項２または請求項３記載の易断サービス提供管理システム。
【請求項５】
通信ネットワークを介して端末装置から送出されてくる生年月日情報及び性別情報並びにサービスの種類情報を受信し、
この受信した生年月日情報及び性別情報を内設メモリに記憶された万年暦データと照合して星情報を決定し、
この星情報に対応する月運情報、吉運情報及び択日運情報を上記内設メモリから抽出し、
上記端末装置の処理能力を識別し、
この識別結果を参照して上記サービスの種類情報に応じて上記内設メモリから抽出される抽出情報及び星情報を上記端末装置の処理能力に合致させて上記端末装置に送出するようにしたことを特徴とする易断サービス提供管理方法。
【請求項６】
上記抽出情報及び星情報を受信し、
当該抽出情報及び星情報を定期的にまたは任意に設定した指定日に上記端末装置に送出するようにしたことを特徴とする請求項５記載の易断サービス提供管理方法。
【請求項７】
上記端末装置と同期して、任意に設定した期間内の上記抽出情報及び星情報を当該端末装置に送出するようにしたことを特徴とする請求項５または請求項６記載の易断サービス提供管理方法。
【請求項８】
特定の印刷物に付された易断サービスに関するマトリックス型二次元コードを読み取り、
上記通信ネットワークを介して送出されてくるこの読み取り情報に基づいて上記抽出情報及び星情報を上記端末装置に表示出力するよう構成したことを特徴とする請求項５、請求項６または請求項７記載の易断サービス提供管理方法。
【発明の詳細な説明】
【技術分野】
【０００１】
本発明は、インターネット等の通信網を介して易断サービスの利用が可能な易断サービス提供管理システム及び易断サービス提供管理方法に関する。
【背景技術】
【０００２】
従来より、生年月日に係わる星や万年暦をもとに運勢や吉凶等を判断する易断が継承されてきている。この易断を利用するためには、易断に精通した鑑定士等の専門家に鑑定・判断してもらう必要がある。または、自らが専門家に師事して易断を学び易断の知識を習得して利用するか、或いは専門書を購入して独学等で知識を習得して利用することも考えられる。
【０００３】
簡易的なものであれば、例えば毎年発行されている、その年に関する易断の書籍を利用することも考えられる。
【０００４】
近時、自分の生年月日を入力することにより、例えば九星別の簡易的な年運、月運または日運が分かる易断のアプリケーションソフトウェアが提供されている。これは、アプリケーションソフトウェアを自身の例えばスマートフォンやパーソナルコンピュータ（ＰＣ）等の端末機器にダウンロードして易断のサービス提供を受けるものである。
【０００５】
特許第３７８３２１８号公報（特許文献１）には、易断に関するものではないが、年月日に係わる干支を導出して人の運命を占う占星術が開示されている。即ち、特許文献１には、利用者がインターネットの通信網を介し生年月日及び性別情報を送出することにより、算命術による占いサービスの提供を受けることが可能なシステムが開示されている。
【０００６】
また、特開２００７−６１３６７号公報（特許文献２）には、アミューズメント施設等に設置される占い用の業務用ゲーム機が開示されている。特許文献２に開示されたものは、易断に関するものではないが、街頭で易者と依頼者とが対面して行われる対面式の易学鑑定を再現したゲーム機に関するものであり、特にその掌面についての画像取り込み等の動作の際に映像等を組み合わせて行うことにより、あたかも目の前の易者が鑑定を行っているかのような感覚を得ることができる易学鑑定システムである。
【先行技術文献】
【特許文献】
【０００７】
【特許文献１】特許第３７８３２１８号公報
【特許文献２】特開２００７−６１３６７号公報
【発明の開示】
【発明が解決しようとする課題】
【０００８】
鑑定士等の専門家に依頼して易断サービスを利用する場合、詳しい鑑定結果等を適切に知ることができる。しかし、専門家の下へ直接出向いて依頼する、或いは依頼内容を詳述した書面を送付する必要がある。このために要す費用や労力の負荷は少なくはないものであり、誰もが容易に利用できるというものではないものである。
【０００９】
自身が易断に精通して利用する場合は、鑑定士等の専門家に依頼する以上に費用や労力の負荷を要するものである。加えて、習得するまでには膨大な時間を要するものでもある。
【００１０】
毎年発行されている簡易的な書籍を利用する場合は、その年のものについての限られた情報だけしか分からないものである。しかも、あらゆる年齢の人を対象に編纂されているので、鑑定士等の専門家に依頼する場合に比べ記載内容は著しく限定的になりがちである。また、記載内容を正確に理解することができないこともある。
【００１１】
九星別の簡易的な年運、月運または日運が分かる易断のアプリケーションソフトウェアを利用する場合は、書籍同様、その年のものについての限られた情報だけしか分からないものである。これは、アプリケーションソフトウェアをダウンロードする端末機器の処理能力が、あらゆる年に対応するための万年暦の膨大なデータ量に対処できないことや、サービス提供者側の蓄積データ不足に起因している。
【００１２】
特許文献１に開示されたものは、生年月日及び性別情報を送出することにより算命術による占いサービスの提供を受けることが可能なシステムが開示されている。しかし、特許文献１に開示されたものは、算命術による占いの処理は全てホストコンピュータ側で行うものであり、利用者は都度インターネット回線等の通信網を介してホストに接続する必要があり、利便性に劣るものである。
【００１３】
特許文献２に開示されたものは、あたかも街頭で易者と依頼者とが対面して行われる対面式の易学鑑定を再現したシステムが開示されている。しかし、特許文献２に開示されたものは、サービスを開始する場合は、例えばアミューズメント施設等に設置されたゲーム機へ出向く必要があり、専門家の下へ直接出向いて依頼する場合と何等変わりはなく、利便性に難がある。
【００１４】
近時、スマートフォン等の携帯型端末機器で、インターネット環境下でなくとも手軽に且つ詳しい種々の易断サービスの利用が求められている。しかしながら、上述した従来のものにあっては、そのような要求を満たすことができず、またそのような思想は全く開示されておらず、示唆すらされていない。
【００１５】
本発明は、上記事情を考慮してなされたもので、上述した不具合を解消し、手軽に且つ種々の易断サービスを適切に利用できるとともに、利便性の向上を図った易断サービス提供管理システム及び易断サービス提供管理方法を提供することを目的とする。
【課題を解決するための手段】
【００１６】
本発明は、上記目的を達成するために以下の通りの構成とすることを特徴とする。
【００１７】
（１）  易断サービスに関するアイコンを表示出力する出力手段と、この出力手段にて表示出力される易断サービスに関するアイコンを操作し生年月日情報及び性別情報並びに各種情報を入力する入力手段と、この入力手段にて入力される生年月日情報及び性別情報並びに各種情報を通信ネットワークを介して外部へ送出する送出手段とを具備するウェブブラウザ機能を有する端末装置と、
この端末装置と上記通信ネットワークを介して接続し上記送出手段から送出されてくる上記生年月日情報及び性別情報を受信する受信手段と、万年暦データを記憶する万年暦データ記憶手段と、この万年暦データ記憶手段を参照して上記受信手段にて受信した上記生年月日情報及び性別情報に対応する星情報を決定する星情報判断処理手段と、上記星情報に対応する月運情報と吉運情報及び択日運情報を記憶する運情報記憶手段と、この運情報記憶手段を参照して上記星情報判断手段により決定された星情報に該当する月運情報と吉運情報及び択日運情報を抽出する抽出手段と、この抽出手段にて抽出された抽出情報及び上記星情報を上記通信ネットワークを介して上記端末装置に送出する易断結果送出手段とを具備する易断サーバとから構成される易断サービス提供管理システムであって、
上記端末装置は上記易断サービスの利用に関し無料サービスまたは有料サービスを上記アイコンから選択可能とし、
上記易断サーバは上記端末装置の処理能力を識別する端末識別手段を有し、この端末識別手段の識別結果を参照して選択されたサービス別に上記抽出情報及び星情報を上記端末装置の処理能力に合致させて上記端末装置に送出するよう構成したことを特徴とする。
【００１８】
（２）  上記（１）の構成にあって、上記易断サーバから上記抽出情報及び星情報を受信し、当該抽出情報及び星情報を定期的にまたは任意に設定した指定日に上記端末装置に送出する機能を有するスケジューラを設けた構成としたことを特徴とする。
【００１９】
（３）  上記（１）または（２）の構成にあって、上記スケジューラは上記端末装置と同期して、任意に設定した期間内の上記抽出情報及び星情報を当該端末装置に送出する機能を有する構成としたことを特徴とする。
【００２０】
（４）  上記（１）、（２）または（３）の構成にあって、特定の印刷物に付された易断サービスに関するマトリックス型二次元コードを読み取り上記通信ネットワークを介して当該読み取り情報を送出可能なバーコードリーダを設け、このバーコードリーダから送出されてくる情報に基づいて上記抽出情報及び星情報を上記端末装置の出力手段に表示出力するよう構成したことを特徴とする。
【００２１】
（５）  通信ネットワークを介して端末装置から送出されてくる生年月日情報及び性別情報並びにサービスの種類情報を受信し、この受信した生年月日情報及び性別情報を内設メモリに記憶された万年暦データと照合して星情報を決定し、この星情報に対応する月運情報と吉運情報及び択日運情報を上記内設メモリから抽出し、上記端末装置の処理能力を識別し、この識別結果を参照して上記サービスの種類情報に応じて上記内設メモリから抽出される抽出情報及び星情報を上記端末装置の処理能力に合致させて上記端末装置に送出するようにした構成としたことを特徴とする。
【００２２】
（６）  上記（５）の構成にあって、上記抽出情報及び星情報を受信し、当該抽出情報及び星情報を定期的にまたは任意に設定した指定日に上記端末装置に送出するようにした構成としたことを特徴とする。
【００２３】
（７）  上記（５）または（６）の構成にあって、上記端末装置と同期して、任意に設定した期間内の上記抽出情報及び星情報を当該端末装置に送出するようにした構成としたことを特徴とする。
【００２４】
（８）  上記（５）、（６）または（７）の構成にあって、特定の印刷物に付された易断サービスに関するマトリックス型二次元コードを読み取り、上記通信ネットワークを介して送出されてくるこの読み取り情報に基づいて上記抽出情報及び星情報を上記端末装置に表示出力するよう構成したことを特徴とする。
【００２５】
上記構成によれば、誰でも手軽に易断サービスを利用できる。しかも利用者の端末装置の処理能力やサービス別に易断サービスの提供を迅速に受けられるので、便利で有用なものである。
また、上記構成によれば、定期的にまたは任意に設定した指定日に易断サービスの提供を受けられるので、利用者にとって実用的且つ有用なものである。
さらに、上記構成によれば、マトリックス型二次元コードの読み取りにより易断サービスの提供を受けられるので、便利である。
【発明の効果】
【００２６】
本発明によれば、手軽に易断サービスを適切に利用できるとともに、端末装置の処理能力やサービス別に易断サービスの提供を迅速に受けることができるものであり、便利で有用なものである。
【図面の簡単な説明】
【００２７】
【図１】本発明の一実施形態に係わる易断サービス提供管理システムの全体構成を概念的に示す図である
【図２】同実施形態に係わり、易断サーバの概略構成を示す図である。
【図３】同実施形態に係わり、占い情報ＤＢの月運情報領域に格納される月運情報の一部を概略的に示す図である。
【図４】同実施形態に係わり、占い情報ＤＢの吉運情報領域に格納される吉運情報の一部を概略的に示す図である。
【図５】同実施形態に係わり、占い情報ＤＢの択日運情報領域に格納される択日運情報の一部を概略的に示す図である。
【図６】同実施形態に係わり、万年暦データ格納部に格納される万年暦データの一部を概略的に示す図である。
【図７】同実施形態に係わり、端末機器の概略構成を示す図である。
【図８】同実施形態に係わり、端末機器の概観構成を示す図である。
【図９】同実施形態に係わり、バーコードリーダの読み取り対象となるマトリックス型二次元コードが付された手帳である。
【図１０】同実施形態に係わり、易断サービス提供の処理の流れを示す図である。
【図１１】同実施形態に係わり、端末機器に於ける易断サービス開始メニュー画面を概略的に示す図である。
【図１２】同実施形態に係わり、端末機器に於ける易断サービス入力画面を概略的に示す図である。
【図１３】同実施形態に係わり、端末機器に於ける易断結果表示画面を概略的に示す図である。
【図１４】同実施形態に係わり、星判断処理の流れを示す図である。
【図１５】同実施形態に係わり、有料用易断処理の流れを示す図である。
【図１６】同実施形態に係わり、無料用易断処理の流れを示す図である。
【図１７】同実施形態に係わり、スケジューラによる処理の流れを示す図である。
【図１８】同実施形態の変形例に係わり、端末機器に於ける易断サービス入力画面を概略的に示す図である。
【図１９】同実施形態の変形例に係わり、端末機器に於ける易断サービスの日めくりカレンダーの表示画面を概略的に示す図である。
【図２０】同実施形態の変形例に係わり、端末機器に於ける易断サービスの方位マッピングの画表示面を概略的に示す図である。
【図２１】同実施形態の変形例に係わり、端末機器に於ける易断サービスの月次カレンダーの画表示面を概略的に示す図である。
【発明を実施するための形態】
【００２８】
以下本発明の一実施形態につき、図面を参照して説明する。
【００２９】
本実施形態に係る易断サービス提供管理システム１０は、図１に示すように易断サービスを提供するクラウド型のサーバコンピュータである易断サーバ１００と、この易断サーバ１００と通信網（通信ネットワーク）２００を介して接続するウェブブラウザ機能を有する端末機器３００、スケジューラ４００及びウェブブラウザ機能を有する携帯電話５００とから構成される。通信網２００を介しての易断サーバ１００、端末装置３００、スケジューラ４００及び携帯電話５００との通信は、例えばセキュリティ対策としてＩＥＴＦのＴＬＳ通信（例えばＳＳＬ通信）にて情報の送受信が行われる。
【００３０】
易断サーバ１００はクラウド型のサーバコンピュータであり、図２に示すように中央制御処理部１１０、入力部１２２及び出力部１２４とから構成される入出力部１２０、星判断処理部１３２と利用形態判断処理部１３４及び星・出力情報判断処理部１３６とから構成される判断処理部１３０、属性情報データベース（属性情報ＤＢ）１４０、占い情報データベース（占い情報ＤＢ）１５０、万年暦データ格納部１６０、メモリ１７０及び端末識別処理部１８０を内設し、夫々が信号線１９０を介して接続されている。そして、易断サーバ１００は、通信網２００を介して端末機器３００や携帯電話５００から送出されてくる易断サービスの利用に関する情報を受信し、該当する易断サービスの情報を選出して、端末機器３００や携帯電話５００に対し夫々の情報処理能力を識別して当該処理能力に合致させた形態で送出する機能を有する。
【００３１】
中央制御処理部１１０は、メモリ１７０に格納された所定のプログラム情報を参照してシステム全体の制御処理を司る機能を有する。また、中央制御処理部１１０は、端末機器３００や携帯電話５００から送出されてくる情報を入力部１２２を介して受信し、当該情報に対応するサービス情報を出力部１２４を介して端末機器３００や携帯電話５００に送出させる機能を有する。
【００３２】
入力部１２２は、中央制御処理部１１０の管理下で、外部から送出されてくる情報を受信しメモリ１７０に格納する機能を有する。例えば、端末機器３００や携帯電話５００から送出されてくる易断サービスの利用に関する要求情報等を受信し、メモリ１７０に格納するよう構成されている。また、入力部１２２は、中央制御処理部１１０の管理下で、内設するキーボード等からのキー入力による入力情報をメモリ１７０に格納する機能を有する。
【００３３】
出力部１２４は、中央制御処理部１１０の管理下で、各種情報を表示・印刷・音声出力等する出力機能を有する。また、出力部１２４は、中央制御処理部１１０の管理下で、各種情報を通信網２００を介して外部へ送出する機能を有する。例えば、易断サービスに関するコンテンツや易断結果に関する情報を通信網２００を介して、端末機器３００や携帯電話５００或いはスケジューラ４００に送出するよう機能構成されている。
【００３４】
星判断処理部１３２は、中央制御処理部１１０の管理下で、例えば入力部１２２を介して送出されてくる生年月日情報に対応する易断に於ける星情報を、後述する万年暦データ格納部１６０を参照して抽出する機能を有する。また、星判断処理部１３２は、抽出した星情報を属性情報ＤＢ１４０の星情報領域１４６に格納する機能を有する。
【００３５】
星情報は、生年月日情報をキーに万年暦データから導出されるもので、一白水星、二黒土星、三碧木星、四緑木星、五黄土星、六白金星、七赤金星、八白土星及び九紫火星の九星からなる。而して九星別の年運、月運、日運、択日運（物事を始めるのに適した日、例えば契約の締結日、開店日、登記日等である。選日ともいう。）及び方位の吉凶情報等が格納された占い情報ＤＢ１５０から導出されるものである。
【００３６】
利用形態判断処理部１３４は、中央制御処理部１１０の管理下で、易断提供サービスに関し例えば入力部１２２を介して送出されてくる有料サービスまたは無料サービスの種別を識別して対応する易断サービスの提供を行うよう判断する機能を有する。また、利用形態判断処理部１３４は、識別した利用形態の情報を属性情報ＤＢ１４０の有料／無料領域１４５に格納する機能を有する。
【００３７】
星・出力情報判断処理部１３６は、中央制御処理部１１０の管理下で、星判断処理部１３２及び利用形態判断処理部１３４による星情報及び利用形態情報並びに性別情報等を参照して占い情報ＤＢ１５０から対応する易断結果の情報を出力部１２４に送出する機能を有する。即ち、星・出力情報判断処理部１３６は、個別具体的な易断結果の情報を出力部１２４に送出するよう構成されている。
【００３８】
属性情報ＤＢ１４０はリード／ライト可能なメモリ機能を有し、生年月日情報領域１４１、性別情報領域１４２、名前情報領域１４３、アドレス情報領域１４４、有料／無料領域１４５及び星情報領域１４６を内設する。
即ち、生年月日情報領域１４１は、端末機器３００や携帯電話５００から送出されてくる易断サービスの提供を受ける利用者の生年月日に関する情報をリード／ライト可能に格納するための記憶領域である。性別情報領域１４２は、同様に端末機器３００や携帯電話５００から送出されてくる易断サービスの提供を受ける利用者の性別に関する情報をリード／ライト可能に格納するための記憶領域である。名前情報領域１４３は、同様に利用者の名前に関する情報をリード／ライト可能に格納するための記憶領域である。アドレス情報領域１４４は、同様に利用者の電子メールアドレスや住所または居所に関する情報をリード／ライト可能に格納するための記憶領域である。有料／無料領域１４５は、利用者が有料の易断サービスの提供を受けるのか或いは無料の易断サービスの提供を受けるのかを利用形態判断処理部１３４が識別した情報をリード／ライト可能に格納するための記憶領域である。星情報領域１４６は、星判断処理部１３２が抽出した利用者の星に関する情報をリード／ライト可能に格納するための記憶領域である。
【００３９】
占い情報ＤＢ１５０は、易断に於ける九星別の年運、月運、日運、択日運（選日）及び方位の吉凶情報等が格納された占い情報を格納する機能を有する。占い情報ＤＢ１５０は、例えば月運情報領域１５２、吉運情報領域１５４及び択日運情報領域１５６他を内設する。
【００４０】
月運情報領域１５２には、星・出力情報判断処理部１３６が参照する易断に於ける九星別に１年毎に１２箇月分の月運情報として１０８通り（９星×１２箇月＝１０８）の情報が格納されている。即ち、図３に示すように、九星の基本定位置をもとに所定の規則に従ってデータ化された１０８種の月運情報が月運情報領域１５２に格納されている。
【００４１】
吉運情報領域１５４には、星・出力情報判断処理部１３６が参照する易断に於ける８２通り（８１＋１＝８２）の吉運情報が格納されている。即ち、図４に示すように、テーブル化された８２種の吉方位一覧テーブルをもとに所定の規則に従ってデータ化された吉運情報が吉運情報領域１５４に格納されている。
【００４２】
択日運情報領域１５６には、星・出力情報判断処理部１３６が参照する易断に於ける３グループ各４通りずつ全１２通りの情報が格納されている。即ち、図５に示すように、テーブル化された択日運一覧テーブルをもとに所定の規則に従ってデータ化された１２種の択日運情報が択日運情報領域１５６に格納されている。例えば、一白水星生まれに該当する場合、子の日に事を始めると発展していくことになる。同様に、卯の日や午の日、酉の日でも選択が可能となる。つまり、三日毎に択日が巡ってくることになる。また、四緑木星や七赤金星に該当する場合も、子の日、卯の日、午の日、酉の日を択日とすることになる。これらは、主に、独立・開業・開店・会社の登記・入籍・結婚の日を選ぶ際に有用なものである。
【００４３】
万年暦データ格納部１６０は、星判断処理部１３２が参照する１２０年分の膨大な暦情報を格納している。即ち、図６に示すように、テーブル化され所定の規則に従ってデータ化された膨大な暦情報が万年暦データ格納部１６０に格納されている。
【００４４】
メモリ１７０は、リード／ライト可能な記憶装置であり、中央制御処理部１１０が各種制御処理・管理をするために参照するプログラム情報を格納するプログラム情報記憶領域、各種コンテンツ情報を格納しておくためのコンテンツ情報記憶領域及び各種作業を行うための作業領域等を内設している。
【００４５】
端末識別処理部１８０は、中央制御処理部１１０の管理下で、通信網２００を介して易断サーバ１００と接続する端末機器３００や携帯電話５００の種別を識別する機能を有する。端末識別処理部１８０は、識別結果をメモリ１７０に格納するとともに星・出力情報判断処理部１３６に送出する機能を有する。なお、識別は、接続する端末機器３００や携帯電話５００の情報処理能力を基準に行われるよう構成されている。
【００４６】
端末機器３００は、図７に示すように制御処理部３２０、入出力部３４０、メモリ３６０及びバーコードリーダ部３８０とから構成され、夫々が信号線３９０を介して接続されている。この端末装置３００はウェブブラウザ機能を有し、その外観は図８に示すように、上面側３００ａに入出力部３４０を構成するタッチパネル型の液晶表示装置を、下面側３００ｂにバーコードリーダ部３８０を構成するカメラ３８０ａが設けられたスマートフォンである。
【００４７】
制御処理部３２０は、メモリ３６０に格納された所定のプログラム情報を参照して端末機器３００全体の制御処理を司る機能を有する。また、制御処理部３２０は、端末機器３００内の情報を入出力部３４０を介して外部へ送出させる機能を有するとともに、入出力部３４０からの入力情報をメモリ３６０に格納し外部へ送出させる機能を有する。また、制御処理部３２０は、外部から送出されてくる情報を必要に応じて入出力部３４０を介して受信し、メモリ３６０に格納し入出力部３４０に出力させる機能を有する。さらに、制御処理部３２０は、易断サーバ１００や後述するスケジューラ４００からの易断結果情報を入出力部３４０に可視的にまたは可聴的に出力させる機能を有する。
【００４８】
入出力部３４０は、制御処理部３２０の管理下で、入力情報をメモリ３６０に格納し、メモリ３６０に格納された情報を出力する機能を有する。
【００４９】
メモリ３６０は、リード／ライト可能な記憶装置である。メモリ３６０の内部には、制御処理部３２０が各種制御処理・管理をするために参照するプログラム情報を格納するためのプログラム情報記憶領域、易断に関する各種コンテンツ情報を格納しておくための易断コンテンツ情報記憶領域及び各種作業を行うための作業領域他が設けられている。
なお、メモリ３６０に通信網２００を介して受信した易断サーバ１００からの易断結果の情報の一部を記憶させてもよい。
【００５０】
バーコードリーダ部３８０は、制御処理部３２０の管理下で、カメラ３８０ａで読み取ったマトリックス型二次元コードをメモリ３６０に格納するとともに、外部へ送出する機能を有する。例えば図９に示すように手帳６００に付されたマトリックス型二次元コード６２０を読み取り、通信網２００を介して易断サーバ１００に送出するよう構成されている。
【００５１】
スケジューラ４００は図示しない制御処理部、入出力部及びメモリを内設する。そして、スケジューラ４００は、易断サーバ１００からの易断結果の情報を通信網２００を介して受信し、システム側で予め設定された間隔で定期的にまたは利用者側にて任意に設定された日に端末機器３００や携帯電話５００に対し当該易断結果の情報を送出する機能を有する。なお、受信する易断結果の情報は、前述した抽出情報及び星情報に基づくものである。
また、スケジューラ４００は、端末機器３００や携帯電話５００内に設けてもよい。
なお、スケジューラ４００は、端末機器３００と同期して、任意に設定した期間内の抽出情報及び星情報を当該端末装置３００に送出するよう機能構成してもよく、または端末機器３００内に設けられたスケジューラ４００にて任意に設定した期限内の抽出情報及び星情報を入出力部３４０に表示するよう機能構成してもよいものである。
【００５２】
携帯電話５００はウェブブラウザ機能を有し、通信網２００を介して易断サーバ１００に接続可能となるよう構成されている。また、この携帯電話５００にはマトリックス型二次元コードを読み取り可能なバーコードリーダ部（ＢＣＲ）５２０が設けられており、読み取ったコード情報を外部へ送出する機能を有している。
【００５３】
上記構成につき、その作用を以下に図を参照して説明する。
【００５４】
端末機器３００または携帯電話５００から通信網２００を介して易断サーバ１００にアクセスし易断サービスの利用提供の要求があると、易断サーバ１００は端末機器３００または携帯電話５００に対して生年月日及び性別情報並びに利用するサービス形態（有料サービスまたは無料サービス）の入力要求を行う（図１０のステップＳ１００）。このとき、易断サーバ１００の端末識別処理部１８０は、アクセスしてきた端末機器３００または携帯電話５００の情報処理能力を識別し、識別結果をメモリ１７０に格納するとともに星・出力情報判断処理部１３６に送出することになる。
これらの入力要求と応答は、図１１に示すように、例えば端末機器３００の入出力部３４０に画面表示されたアイコン「無料サービス」１０１０または「有料サービス」１０２０のどちらかをタッチ入力することにより、利用するサービス形態が選択されることになる。また、図１２に示すように、アイコン「西暦：〇〇年〇月〇日」１０４０に利用者の生年月日を数値入力し、アイコン「男」１０５０または「女」１０６０のどちらかを選択することになる。全ての項目を入力したらアイコン「確定」１０７０をタッチして入力情報を送出することになる。
【００５５】
而して易断サーバ１００からの入力要求に対し、端末機器３００は入出力部３４０から生年月日及び性別情報並びにサービス利用形態を入力し易断サーバ１００に送出することになる（ステップＳ２００のＹ）。携帯電話５００の場合も同様に図示しない入力部から生年月日及び性別情報並びにサービス利用形態を入力し易断サーバ１００に送出することになる（ステップＳ２００のＹ）。
【００５６】
易断サーバ１００は送出されてきた生年月日及び性別情報を受信すると、星判断処理部１３２が万年暦データ格納部１６０の万年暦データを参照して該当する星情報を抽出することになる（ステップＳ３００）。即ち、九星（一白水星、二黒土星、三碧木星、四緑木星、五黄土星、六白金星、七赤金星、八白土星及び九紫火星）の中から該当する星情報を抽出し、属性情報ＤＢ１４０に格納することになる。
【００５７】
続いて利用形態判断処理部１３４が送出されてきた利用形態情報を識別し（ステップＳ４００）、識別した利用形態の情報を属性情報ＤＢ１４０に格納することになる。有料サービスと識別された場合は（ステップＳ４００の有料）、有料用の詳細な易断サービスが提供されることになる（ステップＳ５００）。無料サービスと識別された場合は（ステップＳ４００の無料）、無料用の簡易的な易断サービスが提供されることになる（ステップＳ６００）。而して星・出力情報判断処理部１３６は、星判断処理部１３２及び利用形態判断処理部１３４により属性情報ＤＢ１４０に格納された星情報及び利用形態情報並びに性別情報等を参照して占い情報ＤＢ１５０から対応する易断結果の情報を利用サービスに応じて抽出することになる。
【００５８】
星・出力情報判断処理部１３６が抽出した易断結果の情報は、出力部１２４に送出されて出力されることになる（ステップＳ７００）。
【００５９】
スケジューラ処理の要求がない場合（ステップＳ８００のＮ）、選択されたサービス別の易断結果の情報が、端末機器３００または携帯電話５００の処理能力に合致させた形態にて当該端末機器３００または携帯電話５００に対して送出されることになる。例えば図１３に示すように、端末機器３００の入出力部３４０に鑑定結果に関する表示画面が出力表示される。アイコン「月運」１０８０、「吉運」１０９０、「択日運」１１００が表示されるので、所望のアイコンをタッチすれば、当該アイコンに該当する易断結果の情報がテキスト表示されることになる。
【００６０】
スケジューラ処理の要求がある場合（ステップＳ８００のＹ）、選択されたサービス別の易断結果の情報が、端末機器３００または携帯電話５００の処理能力に合致させた形態にて当該端末機器３００または携帯電話５００に対して送出されるとともに、スケジューラ４００にも送出されることになる。而してスケジューラ４００は、定期的にまたは任意に設定された日に易断サーバ１００からの易断結果の情報を受信し、端末機器３００または携帯電話５００に対し易断結果の情報を送出することになる（ステップＳ９００）。
【００６１】
上述した易断サービス提供の処理の流れに関し、星判断処理（ステップＳ３００）、有料用易断処理（ステップＳ５００）、無料用易断処理（ステップＳ６００）及びスケジューラによる処理（ステップＳ９００）について以下に詳述する。
【００６２】
星判断処理について、図１４を参照して説明する。
生年月日及び性別情報を受信すると（ステップＳ３１０）、星判断処理部１３２が万年暦データ格納部１６０にアクセスする（ステップＳ３２０）。星判断処理部１３２は、九星に関する１２０年分の暦データの中からの受信した生年月日情報に対応する星情報を抽出する（ステップＳ３３０）。そして、星判断処理部１３２は、抽出した星情報を属性情報ＤＢ１４０の星情報領域１４６に格納する（ステップＳ３４０）。
【００６３】
有料用易断処理について、図１５を参照して説明する。
星・出力情報判断処理部１３６は、有料易断サービス提供の情報を受信すると（ステップＳ５１０）、占い情報ＤＢ１５０にアクセスする（ステップＳ５２０）。この後、星・出力情報判断処理部１３６は、月運情報領域１５２から該当する月運に関する詳細情報を、吉運情報領域１５４から該当する吉運に関する詳細情報を、そして択日運情報領域１５６からは該当する択日運に関する詳細情報を抽出する（ステップＳ５３０）。これら抽出された詳細情報が易断結果の情報として、出力部１２４に送出されて出力されることになる（ステップＳ５４０）。
【００６４】
無料用易断処理について、図１６を参照して説明する。
星・出力情報判断処理部１３６は、無料易断サービス提供の情報を受信すると（ステップＳ６１０）、占い情報ＤＢ１５０にアクセスする（ステップＳ６２０）。この後、星・出力情報判断処理部１３６は、月運情報領域１５２から該当する月運に関する簡易情報を、吉運情報領域１５４から該当する吉運に関する簡易情報を、そして択日運情報領域１５６からは該当する択日運に関する簡易情報を抽出する（ステップＳ６３０）。これら抽出された簡易情報が易断結果の情報として、出力部１２４に送出されて出力されることになる（ステップＳ６４０）。
【００６５】
スケジューラ４００による処理について、図１７を参照して説明する。
スケジューラ４００はスケジューラ処理要求の情報を受信すると（ステップＳ９１０）、当該要求する端末機器３００または携帯電話５００を認識し内設メモリに記憶する（ステップＳ９２０）。また、当該端末機器３００または携帯電話５００が要求するスケジューラ機能に関し、システム側で設定された定期的な情報提供なのか、或いは任意に設定した日による情報提供なのかも認識し内設メモリに記憶する（ステップＳ９３０）。スケジューラ４００は、この設定された条件に従って易断サーバ１００から該当する易断結果の情報を受信することになる（ステップＳ９４０）。而してスケジューラ４００は、受信した易断結果の情報を端末機器３００または携帯電話５００に対して当該端末機器３００または携帯電話５００の処理能力に合致させた形態で送出することになる（ステップＳ９５０）。
なお、スケジューラ４００が端末機器３００または携帯電話５００内に設けられている場合には、上記スケジューラ処理要求の情報を端末機器３００または携帯電話５００内に設けられるメモリ若しくは易断サーバ１００のメモリ１７０に記憶し、任意に設定される条件に従って該当する易断結果の情報が端末機器３００または携帯電話５００に出力表示される。
【００６６】
なお、上述した端末機器３００または携帯電話５００の処理能力に合致させた形態で易断結果の情報を送出するとは、例えば端末機器３００または携帯電話５００の情報処理能力が低いと判断された場合、送出される易断結果の情報を端末機器３００または携帯電話５００側でダウンロードすることなく、閲覧可能とするように機能構成したものである。他方、端末機器３００または携帯電話５００の情報処理能力が低くはないと判断された場合は、易断結果の情報を例えば１年分はダウンロード可能と機能構成したものである。ダウンロードにより、通信網に接続しなくとも１年分の易断結果の情報を何時でも何処でも自身の端末で閲覧可能となるものである。
【００６７】
また、易断サービスの利用者の生年月日及び性別情報等を易断サーバ１００に事前に登録しておけば、図９に示すように手帳６００に付されたマトリックス型二次元コード６２０をバーコードリーダ部３８０、ＢＣＲ５２０により読み取ることにより、例えばその日や月の易断結果を、端末機器３００や携帯電話５００に可視的または可聴的に出力できるものである。
【００６８】
上記実施形態によれば、時間や場所を問わずに手軽に易断サービスを利用でき、利用者の端末装置の処理能力やサービス別に易断サービスの提供を迅速に受けられるので、便利で有用なものである。
また、上記実施形態によれば、定期的にまたは予め設定した指定日に易断サービスの提供を受けられるので、実用的且つ有用なものである。
さらに、上記実施形態によれば、マトリックス型二次元コードの読み取りにより易断サービスの提供を手軽に受けられるので、便利である。
【００６９】
さて、図１８乃至図２１は、上記実施形態の変形例である。この変形例では、利用者の生年月日及び性別情報の他に、居住地域及び職業に関する情報も利用者に入力要求するよう構成されている。また、端末機器３００や携帯電話５００にはＧＰＳ機能が搭載されおり、位置情報の取得を可能としている。これにより、より精度が高く有益な易断サービスの提供を可能としている。その他の機能及び構成は上記実施形態と同一につき、説明は省略する。
【００７０】
例えば、図１８に示すように生年月日及び性別情報の他に居住地域及び職業に関する情報を夫々の入力領域１０８０，１０９０から入力することにより、星情報及び利用形態情報並びに性別情報等を参照して占い情報ＤＢ１５０から対応する易断結果の情報を得られるよう機能構成してもよいものである。このようにして得られた易断結果の情報は、図１９に示すように、あたかも日めくりカレンダー的に画面表示されるよう構成してもよいものである。ここで出力表示される項目は、その日の暦情報、方位盤１１００及びその日に於ける吉方位等の情報１１１０である。方位盤１１００の近傍に位置する「地図を見る」１１２０をタッチすると、図２０に示すように、ＧＰＳ機能により例えば現在地周辺の地図上に方位盤１１００が重ね合わせて表示されるよう機能構成してある。これにより、現在地に於ける吉方位等の情報が容易に分かるものである。
図２１は、図１９中のアイコン「スケジュール」１１３０を操作すると表れる月次カレンダーの表示画表である。所望の日を操作すると、当該日のスケジュールが易断結果情報とともに出力表示されるよう構成されるものである。
【００７１】
この変形例では、スケジューラ４００は端末機器３００と同期して、任意に設定した期間内の抽出情報及び星情報を当該端末装置３００に送出するよう機能構成してもよいものである。
【００７２】
本発明は、本発明の要旨を逸脱しない限り種々の変形が可能なことは勿論である。
【符号の説明】
【００７３】
１０    …易断サービス提供管理システム
１００  …易断サーバ
１３２  …星判断処理部
１３４  …利用形態判断処理部
１３６  …星・出力情報判断処理部
１４０  …属性情報データベース
１４１  …生年月日情報領域
１４２  …性別情報領域
１４３  …名前情報領域
１４４  …アドレス情報領域
１４５  …有料／無料領域
１４６  …星情報領域
１５０  …占い情報データベース
１５２  …月運情報領域
１５４  …吉運情報領域
１５６  …択日運情報領域
１６０  …万年暦データ格納部
１８０  …端末識別処理部
２００  …通信網（通信ネットワーク）
３００  …端末機器（端末装置）
３８０  …バーコードリーダ部
４００  …スケジューラ
５００  …携帯電話（端末装置）
５２０  …バーコードリーダ部（ＢＣＲ）
【図１】
2016101440.tif 000003
【図２】
2016101440.tif 000004
【図３】
2016101440.tif 000005
【図４】
2016101440.tif 000006
【図５】
2016101440.tif 000007
【図６】
2016101440.tif 000008
【図７】
2016101440.tif 000009
【図８】
2016101440.tif 000010
【図９】
2016101440.tif 000011
【図１０】
2016101440.tif 000012
【図１１】
2016101440.tif 000013
【図１２】
2016101440.tif 000014
【図１３】
2016101440.tif 000015
【図１４】
2016101440.tif 000016
【図１５】
2016101440.tif 000017
【図１６】
2016101440.tif 000018
【図１７】
2016101440.tif 000019
【図１８】
2016101440.tif 000020
【図１９】
2016101440.tif 000021
【図２０】
2016101440.tif 000022
【図２１】
2016101440.tif 000023